(57)【特許請求の範囲】
【請求項１】
液晶パネルと、前記液晶パネルの背面側に順に位置する液晶シャッタ及び導光板と、前記導光板の端面に対向して配置されたランプセットと、前記液晶パネル及び前記液晶シャッタ及び前記導光板の各縁部を支持する枠体と、前記各部品を覆い、額縁状に形成された外枠とを備え、前記導光板及び前記外枠には各々、略中央に開口部が形成され、前記液晶シャッタは印加電圧がオンの時には透明になり、印加電圧がオフの時には乳白色となるとともに、前記導光板の開口部において、背面側に湾曲して配置された事を特徴とする液晶表示装置。
【請求項２】
前記液晶シャッタは前面側から見て略長方形に形成され、前記長方形が有する１対の短辺の近傍と、前記液晶パネルの縁部との間に、１対のスペーサが配置された事を特徴とする請求項１の液晶表示装置。
【請求項３】
略中央に開口部が形成された拡散シートは、前記液晶シャッタの背面と、前記導光板の前面との間に配置された事を特徴とする請求項２の液晶表示装置。
【請求項４】
前記液晶シャッタは前面側から見て略長方形に形成され、前記長方形が有する１対の長辺の近傍は、前記枠体に形成された１対の長尺の段部と、前記導光板の前面との間に配置された事を特徴とする請求項１の液晶表示装置。
【発明の詳細な説明】
【技術分野】
【０００１】
本発明は、液晶表示装置に関し、特にアミューズメント用の液晶表示装置に関する。
【背景技術】
【０００２】
従来、液晶表示装置を用いた回動式遊技機の一例を図１１及び図１２を用いて説明する（下記の特許文献１を参照）。なお、図１１は従来の回動式遊技機１００の外観斜視図であり、図１２は回転表示体１０２、液晶パネル１１６及び液晶シャッタ１１２の配置関係を示す縦断面図である。この回動式遊技機１００は、その筐体１０１の前面のほぼ中央上部に、筐体１０１内に配設した３個の回転表示体１０２ａ〜１０２ｃの表面が臨む３個の表示窓１０３ａ〜１０３ｃが横並びに設けられている。
【０００３】
この回動式遊技機１００の遊技結果表示部は、３個の回転表示体１０２ａ〜１０２ｃからなる第１表示手段と、第１表示手段の前面側に配置された液晶パネル１１６からなる第２表示手段と、前記第１表示手段と第２表示手段との間に配置された液晶シャッタ１１２からなる第３表示手段とを有する。第２表示手段は透過表示部（図示しない）を有し、第１表示手段の表示を透過させて表示可能にし、第３表示手段は第１表示手段の表示を遮蔽するか又は透過させる３個の表示遮蔽部１１３ａ〜１１３ｃを有する。
【０００４】
また遊技機１００は、表示遮蔽部１１３ａ〜１１３ｃにより、第１表示手段の表示を遮蔽する状態と、第１表示手段の表示を透過する状態とのいずれかに変換制御する変換制御手段を有している。
【０００５】
このうち、回転表示体１０２ａ〜１０２ｃの内部には回転表示体を照明するための３個のバックライト１１７ａ〜１１７ｃが配設されており、回転表示体１０２ａ〜１０２ｃの前面側には、液晶パネル１１６及び液晶シャッタ１１２を背面側から照明するとともに、回転表示体を表面側から照明するための前方照明装置１１８ａ、１１８ｂが配置されている。
【特許文献１】特開２００４−２８３５４８号公報
【発明の開示】
【発明が解決しようとする課題】
【０００６】
本発明者は、図１２を参照して、遊戯機１００用の液晶表示装置を製造した。即ち、液晶パネル１１６および液晶シャッタ１１２を覆う外枠を設けた。外枠は、右側に開口部を有し、額縁状に形成されている。液晶パネル１１６と、液晶シャッタ１１２と、導光板を配置し、導光板と外枠の中央部に各々、開口部を形成した。
【０００７】
また、液晶パネル１１６と、液晶シャッタ１１２との間に、所定距離の隙間を設けた。しかし、液晶シャッタ１１２は、液晶パネル１１６側に湾曲し、両者が接触し、モアレ（光の干渉）を起こす、第１の欠点がある。本発明者の研究によると、液晶シャッタ１１２を構成する第１基板及び第２基板が薄いため、片側に反る（湾曲する）事が原因であると、判明した。
【０００８】
本発明者は、この欠点を解消するために、液晶パネル１１６に用いられた基板と同じ厚さを持つ第１基板及び第２基板にて、液晶シャッタを製造したが、コストが高くなる、第２の欠点がある。
【０００９】
そこで、本発明は、この様な従来の欠点を考慮し、液晶シャッタが液晶パネルに接触しない、かつコストが安い、液晶表示装置を提供する。
【課題を解決するための手段】
【００１０】
上記課題を解決するために、請求項１の本発明では、液晶パネルと、前記液晶パネルの背面側に順に位置する液晶シャッタ及び導光板と、前記導光板の端面に対向して配置されたランプセットと、前記液晶パネル及び前記液晶シャッタ及び前記導光板の各縁部を支持する枠体と、前記各部品を覆い、額縁状に形成された外枠とを備え、前記導光板及び前記外枠には各々、略中央に開口部が形成され、前記液晶シャッタは前記導光板の開口部において、背面側に湾曲して配置された。
【００１１】
上記課題を解決するために、請求項１の本発明では、液晶パネルと、前記液晶パネルの背面側に順に位置する液晶シャッタ及び導光板と、前記導光板の端面に対向して配置されたランプセットと、前記液晶パネル及び前記液晶シャッタ及び前記導光板の各縁部を支持する枠体と、前記各部品を覆い、額縁状に形成された外枠とを備え、前記導光板及び前記外枠には各々、略中央に開口部が形成され、前記液晶シャッタは印加電圧がオンの時には透明になり、印加電圧がオフの時には乳白色となるとともに、前記導光板の開口部において、背面側に湾曲して配置された。
【００１２】
請求項３の本発明では、略中央に開口部が形成された拡散シートは、前記液晶シャッタの背面と、前記導光板の前面との間に配置された。
【００１３】
請求項４の本発明では、前記液晶シャッタは前面側から見て略長方形に形成され、前記長方形が有する１対の長辺の近傍は、前記枠体に形成された１対の長尺の段部と、前記導光板の前面との間に配置された。
【００１４】
請求項５の本発明では、前記液晶シャッタは少なくとも、第１基板と、前記第１基板から所定距離だけ離れて位置する第２基板と、前記第１基板と前記第２基板とに挟まれた液晶と、前記第２基板の端面と前記第１基板との第１隙間及び前記第１基板の端面と前記第２基板との第２隙間を埋める封止部とを有する。
【００１５】
請求項６の本発明では、前記封止部は、熱硬化型接着剤又は光硬化型接着剤からなる。
【発明の効果】
【００１８】
請求項３の構成により、液晶パネルの縁部と導光板との間に、スペーサと、液晶シャッタと、拡散シートが積層されるので、液晶シャッタの端部は、正規の位置に固定され、維持される。
【００１９】
請求項４の構成により、液晶シャッタの長辺近傍は、段部と、導光板の前面との間に配置されるので、少なくとも、液晶シャッタの長辺近傍において、液晶シャッタと液晶パネルとの間に所定の距離を維持できる。
【００２０】
請求項５の構成により、第１隙間および第２隙間は封止部により、封止されるので、水分等が外部から液晶シャッタ内に侵入することを防止できる。
【００２１】
請求項６の構成により、熱硬化型接着剤または光硬化型接着剤による封止部にて封止するので、作業は容易であり、かつ確実に封止できる。
【発明を実施するための最良の形態】
【００２２】
以下、本発明の具体例を実施例及び図面を用いて詳細に説明する。
【実施例】
【００２３】
本発明の実施例に係る液晶表示装置Ｘを図１〜図１０に示す。図１は本発明の実施例における液晶表示部Ｙと回路基板支持部Ｚの構成を示す背面斜視図、図２は図１の液晶表示部Ｙの主要構成部品を示す分解斜視図、図３は図１におけるＡ１−Ａ２断面図、図４は図１におけるＢ１−Ｂ２断面図、図５は、図１におけるＣ１−Ｃ２断面図、図６は液晶表示装置Ｘに用いられる液晶シャッタ３を前面側から見た斜視図、図７は液晶シャッタ３の模式図、図８は図６におけるＥ１−Ｅ２断面図、図９は図１におけるＤ１−Ｄ２断面図、図１０は図１における回路基板支持部Ｚのカバーを取り外した状態を示す斜視図である。
【００２４】
本発明に係る液晶表示装置Ｘは、図１の背面斜視図に示すように、液晶表示部Ｙと回路基板支持部Ｚとからなる。液晶表示部Ｙの外枠９の背部１７と外側部１８の内部には、液晶パネル２に接続された回路基板２０と、回路基板２１が設けられている。回路基板支持部Ｚには、外枠９の背部１７ａに垂直に配置された回路基板支持部Ｚが設けられている。回路基板支持部Ｚにおいて、回路基板２０および回路基板２１と電気的に接続された回路基板２２が設けられている。
【００２５】
まず、図１の液晶表示部Ｙの分解斜視図である図２を用いて、液晶表示部Ｙの主要構成部品について説明する。液晶表示部Ｙは、開口部１ａを有する前面枠１の背面側に向けて液晶パネル２が設けられている。液晶パネル２の背面側に順に位置する液晶シャッタ３と拡散シート３５（図２では、図示せず）と、導光板４と、反射シート５とを備えている。導光板４の端面４ａに対向して、光源であるランプセット６ａが配置されている。導光板４の端面４ｂに対向して、光源であるランプセット６ｂが配置されている。
【００２６】
導光板４及び反射シート５には、この反射シート５の上方（背面側）に配置された表示物（例えば絵柄など）（図示せず）が、液晶パネル２の前面側から見えるようにするために、略中央部に、各々、開口部１３，５ａが設けられている。
【００２７】
導光板４は、ランプセット６ａとランプセット６ｂとを導光板４の端面４ａ、４ｂに密接に対向させて、額縁状の枠体８内に載置されている。枠体８は、液晶パネル２と、液晶シャッタ３と、導光板４と、反射シート５の各縁部を支持している（図４参照）。
【００２８】
固定板７は、その中央部には導光板４及び反射シート５と同様の開口部１４が形成されている。固定板７の平坦部１１ｆは、導光板４の背面側（詳細には、反射シート５の背面側）に配置され、側面１１ａ，１１ｂは各々ランプセット６ａ，６ｂを支持している。
【００２９】
一端が、液晶パネル２の縁部に接続され、他端が回路基板２０に接続されたフレキシブル基板３６が設けられている。このフレキシブル基板３６は例えば、テープキャリヤパッケージ（ＴＣＰ）から構成される。また、テープキャリヤパッケージ（ＴＣＰ）は例えば、ＴＡＢ（Tape Automated Bonding）により、製造される。
【００３０】
同様に、一端が、液晶パネル２の縁部に接続され、他端が回路基板２１に接続されたフレキシブル基板３６ｄ（図５参照）が設けられている。
【００３１】
前面枠１は、前面側が開放され、略中央部に開口部１ａが形成され、箱状に形成されている。液晶パネル２の縁部および枠体８の底面は前面枠１の底部上に配置されている（図４、５参照）。図９に示す様に、枠体８の側面１２ａにおいて、外側に向かって突出する突出部３７が形成されている。
【００３２】
前面枠１の側面において、孔３８が形成されている。この突出部３７が孔３８に係合される事により、前面枠１は枠体８に固定されている（図２と図４と図９を参照）。
【００３３】
図４に示す様に、外枠９は、上記各部品２，３，３５，４，５，６ａ，６ｂ，７を覆い固定板７の背面側に配置され、額縁状に形成されている。外枠９の具体的な固定方法は、後述する。
【００３４】
外枠９は、中央に開口部１６を備え、その背部１７ａ〜１７ｄから延びた外側部１８ａ〜１８ｄが垂直の壁面として形成されている。背部１７ａから、外枠９の背面に垂直に配置固定された回路基板支持部Ｚが設けられている。
【００３５】
前面枠１と、拡散シート３５と、導光板４と、反射シート５と、固定板７と、外枠９には、略中央部に各々、開口部１ａ，３５ａ，１３，５ａ，１４，１６が形成されている。
【００３６】
外枠９の開口部１６の周辺には、背面側に延びる内側部１６ｂが形成されている。すなわち、外枠９の内側部１６ｂは、背部部１７ａにつながって、形成されている（図４を参照）。
【００３７】
同様に、外枠９の内側部１６ｃは、背部１７ｃにつながって、形成されている（図５を参照）。外枠９の内側部１６ｄは、背部１７ｂにつながって、形成されている（図２を参照）。外枠９の内側部１６ｅは、背部１７ｄにつながって、形成されている（図２を参照）。
【００３８】
固定板７は、開口部１４の周辺に、パッキン３９が配置されている。パッキン３９の背面は、内側部１６ｂ，１６ｃ，１６ｄ，１６ｅの各底面が当接している。パッキン３９は例えば、発泡ウレタンや、天然ゴムや、シリコンゴムからなり、弾性力を有するものである。
【００３９】
図４、図５に示した様に、外枠９に形成された開口部１６に臨む背部１７ａ〜１７ｄにシール材（図示せず）を介して、透明パネル２５が接着されている。
【００４０】
次に、図４と図５に従い、この液晶表示装置Ｘの第１の特徴を、以下にまとめる。液晶パネル２と、液晶パネル２の背面側に順に位置する液晶シャッタ３及び導光板４と、導光板４の端面に対向して配置されたランプセット６ａとが設けられている。
【００４１】
液晶パネル２及び液晶シャッタ３及び導光板４の各縁部を支持する枠体８と、前記各部品を覆い、額縁状に形成された外枠９とが設けられている。導光板４及び外枠９には各々、略中央に開口部１３，１６が形成されている。
【００４２】
液晶シャッタ３は導光板４の開口部１３において、背面側に湾曲して配置されている。すなわち、液晶シャッタ３は従来と同じく、薄い第１基板及び第２基板（後述）が用いられている。液晶シャッタ３自身は、片側に反る（湾曲）ものであり、この液晶表示装置Ｘにおいては、液晶シャッタ３の湾曲側が、裏面側に配置されている。
【００４３】
次に、図５ないし図８に従い、この液晶表示装置Ｘの第２の特徴を、以下にまとめる。液晶シャッタ３は前面側から見て略長方形に形成され、長方形が有する１対の短辺の近傍と、液晶パネル２の縁部との間に、１対のスペーサ４２，４３が配置されている（図５と図６参照）。
【００４４】
スペーサ４２，４３は例えば、発泡ウレタンや、天然ゴムや、シリコンゴムからなり、直方体状に形成されている。スペーサ４２，４３の各片面には、接着剤が塗布されており、スペーサ４２，４３は予め、液晶シャッタ３の前面側に接着されている（図６参照）。
【００４５】
次に、図５ないし図８に従い、この液晶表示装置Ｘの第３の特徴を、以下にまとめる。略中央に開口部３５ａが形成された拡散シート３５は、液晶シャッタ３の背面と、導光板４の前面との間に配置されている（図５参照）。
【００４６】
次に、図４ないし図８に従い、この液晶表示装置Ｘの第４の特徴を、以下にまとめる。液晶シャッタ３は前面側から見て略長方形に形成されている。長方形が有する１対の長辺の近傍は、枠体８に形成された１対の長尺の段部１０，１０と、導光板４の前面との間に配置されている（図４参照）。
【００４７】
次に、図６ないし図８に従い、この液晶表示装置Ｘの第５の特徴を、以下にまとめる。液晶シャッタ３は少なくとも、第１基板４４と、第１基板４４から所定距離だけ離れて位置する第２基板４５と、第１基板４４と第２基板４５とに挟まれた液晶４６とを有している。
【００４８】
液晶シャッタ３は、第２基板４５の端面４５ａと第１基板４４との第１隙間４７及び、第１基板４４の端面４４ａと第２基板４４との第２隙間４８を埋める封止部４９とを有している。
【００４９】
第１基板４４の表面には、所定の形状を持つ第１電極（図示せず）が形成され、その一端は第１端子５１を介して、第１リード線５２に接続されている。同様に、第２基板４５の裏面には、所定の形状を持つ第２電極（図示せず）が形成され、その一端は第２端子５３を介して、第２リード線５４に接続されている。第１リード線５２の先端と、第２リード線５４の先端は、コネクタ５５に接続されている。
【００５０】
次に、図６ないし図８に従い、この液晶表示装置Ｘの第６の特徴を、以下にまとめる。封止部４９は、熱硬化型接着剤又は光硬化型接着剤からなる。以上にて、この液晶表示装置Ｘが有する特徴の説明を終わる。
【００５１】
更に図４に従い、この液晶表示装置Ｘの第１の付加的特徴を、以下にまとめる。ＴＣＰ３６の第１部分３６ａは、液晶パネル２の縁部に接続された一端から、枠体８の底部近傍および枠体８の側部近傍を経て終端３６ｂに延びた部分である。
【００５２】
第２部分３６ｃは、この終端３６ｂから、回路基板２０の端面近傍まで延び、第２部分３６ｃは、回路基板２０に対して、傾斜して配置されている。
【００５３】
次に、図４に従い、液晶表示装置Ｘの第２の付加的特徴を、以下にまとめる。支持板４０は、固定板７に対し平行に位置する平坦部４０ａが形成されている。平坦部４０ａの両端に各々つながり、液晶パネル２の前面側に延び、更に直角に延びる１対の第１固定部４０ｂ，４０ｃ（共に図示せず）が形成されている。第１固定部４０ｂ，４０ｃが固定板７に固定されることにより、前記第１距離が維持されている。
【００５４】
更に、図４に従い、液晶表示装置Ｘの第３の付加的特徴を、以下にまとめる。支持板４０は、平坦部４０ａの両端に各々つながり、回路基板２０に向かって延び、更に直角に延びる１対の第２固定部４０ｄと４０ｅ（図示せず）が形成されている。回路基板２０が第２固定部４０ｄ、４０ｅ上に固定されることにより、平坦部４０ａと回路基板２０との間に、第２距離が維持されている。
【００５５】
次に、図４に従い、液晶表示装置Ｘの第４の付加的特徴を、以下にまとめる。支持板４０は、平坦部４０ａにおいて、開口４０ｆ（図示せず）が形成されている。この開口４０ｆの近傍にて、液晶パネル２の前面側に延び、更に直角に延びる第３固定部４０ｇが形成されている。固定板７は、背面側に突起する突起部７ａが形成されている。第３固定部４０ｇが突起部７ａに固定されている。
【００５６】
更に、図４に従い、液晶表示装置Ｘの第５の付加的特徴を、以下にまとめる。平坦部４０ａの一端に形成される第１固定部４０ｂと、平坦部４０ａの他端に形成される第１固定部４０ｃとを結ぶ第１仮想線Ｆ１と、平坦部４０ａの一端に形成される第２固定部４０ｄと、平坦部４０ａの他端に形成される第２固定部４０ｅとを結ぶ第２仮想線Ｆ２とが交差する様に、各第１固定部４０ｂ，４０ｃおよび各第２固定部４０ｄ，４０ｅが配置されている。
【００５７】
なお、図４に示した支持板４０において、平坦部４０ａの一つの長辺に対し、液晶パネル２の前面側を向く様に、折り曲げ部４０ｈが形成されている。折り曲げ部４０ｈの２ケ所において、折り曲げ部４０ｈに対し、直角に曲げられた突出部４０ｉが形成されている。この突出部４０ｉは、固定板７に形成された背高部１１ｇに当接する様に構成されている（図４を参照）。
【００５８】
更に、図４に示す様に、支持板４０において、平坦部４０ａの他の長辺に対し、液晶パネル２の前面側を向く様に、折り曲げ部４０ｊが形成されている。支持板４０の平坦部４０ａの適所において、回路基板２０に向かって延び、更に、内側に向かって直角に延びる引掛部４０ｋが形成されている。
【００５９】
回路基板２０は、支持板４０に形成された第２固定部４０ｅ，４０ｄ上に載置され、ネジにより固定されている。この時、引掛部４０ｋは、回路基板２０の背面を支持する事により、回路基板２０がぐらつくことを防止している。
【００６０】
また、図１０に示した回路基板２２に設けられたコネクタ３０には、フレキシブル配線基板２８の一端が接続されている。そして、図４に示したコネクタ４１には、上記フレキシブル配線基板２８の他端が接続されている。以上にて、この液晶表示装置Ｘの付加的特徴の説明を終わる。
【００６１】
図１の実施例におけるＡ１−Ａ２の側断面図である図３において、液晶表示装置Ｘの液晶表示部Ｙは、液晶パネル２と，液晶表示部Ｙの上方に置かれた、図示しない回転表示体等による表示物（例えば絵柄など）との間に液晶シャッタ３を有する。この液晶シャッタ３は高速スイッチングが可能であり、開いた時（印加電圧がオン状態の時）には透明になる。
【００６２】
液晶シャッタ３が透明になると、液晶表示部Ｙの背面側（上方）には、リフレクタ２３に取り付けた表示物（例えば絵柄など）投影光源２４が点灯している。その結果、液晶表示部Ｙの背面に配置した回転表示体等による表示物（例えば絵柄など）が外枠９の開口部１６を介して見えるようになる。この時、開口部１６部分を除く液晶パネル２の縁部の液晶表示は、液晶表示部Ｙの前面側から、遊技者に見えるようになる。
【００６３】
また、液晶シャッタ３は、閉じたとき（印加電圧がオフ状態の時）には乳白色となって導光板４の役目を果たす。このとき、表示物（例えば絵柄など）投影光源２４は点灯しているので、導光板４及び液晶シャッタ３は照光されている。その結果、遊技者は液晶パネル２の中央部及び縁部において所定の液晶表示を見ることができるようになる。
【００６４】
図４に示すように、枠体８に段部１０を形成し、液晶シャッタ３をその段部１０上に配置することにより、液晶パネル２と液晶シャッタ３との間に所定の間隙Ｇ、例えば０．４ｍｍの間隙が設けられる。その結果、液晶パネル２と液晶シャッタ３との間で、光の干渉を生じることがなくなり、液晶パネル２におけるモアレ現象の発生を防止することができるようになる。
【００６５】
また、図２に示したように、固定板７はその中央に開口部１４が形成され、四辺には、側面１１ａ〜１１ｄが形成されている。これらの側面の一つである１１ａと導光板４との間にランプセット６ａを固定し、対向する辺の側面１１ｂと導光板４との間にランプセット６ｂを固定している。
【００６６】
図４に示す様に、ランプセット６ａ、６ｂの反射板６ｃと６ｄ（図示せず）は、枠体８と固定板７と導光板４とに挟まれて固定される。これにより各ランプセット６ａ、６ｂは導光板４と密着するので光漏れを防止できるため、遊技者の目の疲労を軽減することができる。
【００６７】
また、図示するように、導光板４には、その開口部１３に臨む位置において、液晶パネル２に向かって広がりを有する傾斜面４ｃ、４ｄが形成されている。その結果、導光板４の垂直内端面がなくなるから、傾斜面４ｃ、４ｄがない場合に比較すると、前面の斜め前から見たときに開口部１３がぎらつくことが緩和され、遊技者の眼に対する刺激が傾斜面４ｃ、４ｄで和らげられて不快感が減少するので好ましい。
【００６８】
さらに、図２と図４に示すように、枠体８には側面１２ａ〜１２ｄが形成され、固定板７に形成された側面１１ａ〜１１ｄとそれぞれ係合させている。すなわち、固定板７の長辺の側面１１ａ、１１ｂは、枠体８の長辺の側面１２ａ、１２ｂの内側に嵌合されている。短辺の側面１１ｃ、１１ｄは、枠体８の短辺の側面１２ｃ、１２ｄの上側に設けた溝８ｅの立ち上がり部８ｆに嵌合され、これにより固定板７は枠体８に容易に固定される（図５参照）。
【００６９】
図２と、図９のＤ１−Ｄ２側断面図に示すように、外枠９には開口部１６が形成されている。開口部１６を囲む背部１７ａ，１７ｂの外側に位置する様に、枠体８は立ち上がり部８ｇが形成されている。外枠９の所定部に設けた孔と、それぞれ対応する位置にある固定板７の折り曲げ部１１ｅに形成された孔と、枠体８の立ち上がり部８ｇに形成された孔とを締結部品１９で結合し、一体に固定することにより、外枠９は枠体８に固定されている。この様にして、液晶表示部Ｙは容易に組み立てることができる。
【００７０】
液晶パネル２に対して、ＴＣＰ方式で取り付けたドライバーＩＣ搭載の回路基板２０と回路基板２１は、ともに前面枠１と外枠９内に収納される。回路基板２０は外枠９の幅広の背部１７ａと、外側部１８ａとの間に配置されている。回路基板２１は外枠９の幅狭の背部１７ｃと、外側部１８ｃとの間に配置されている。外枠９の開口部１６の背面は透明なアクリルなどの透明パネル２５で覆われ、液晶表示装置Ｘに塵などが入らないようになっている（図４と図５を参照）。
【００７１】
図１０は、本発明の実施例において、回路基板支持部Ｚのカバーを取り外した状態であり、液晶表示部Ｙの背面側から見た背面斜視図である。外枠９には、その背部１７ａから外側部１８ａが垂直の壁面として形成されている。幅広の背部１７ａと、それに連なる外側部１８ａで形成される角が、一部分除去されて孔９ａが設けられている。
【００７２】
この孔９ａを塞ぐように、孔９ａに沿って外枠９の背面に、箱型の回路基板支持板２６が背部１７ａに垂直に配置され、ネジ２７で固定されて、回路基板支持部Ｚが形成されている。箱型の回路基板支持板２６は、その下部に設けた嵌合部２６ａを背部１７ａに設けたスリット９ｂに側面から差し込むことによって位置決めされ、ネジ２７で固定される。
【００７３】
外枠９の内部に、背部１７ａと外側部１８ａ並びに背部１７ｃと外側部１８ｃの間にそれぞれ液晶パネル２に接続された回路基板２０と、回路基板２１は配置されている。回路基板２０と、回路基板２１からは、回路基板２２に接続されるフレキシブル配線基板２８、２９が孔９ａを通して引き出される。
【００７４】
外枠９の背面に垂直に配置した回路基板支持板２６に、回路基板２０と、回路基板２１を制御する、回路基板２２は取り付け、固定される。支持された回路基板２２に、回路基板２０と、回路基板２１から引き出されたフレキシブル配線基板２８、２９が接続される。なお、符号３０、３１は回路基板２２に搭載したコネクタである。また、符号３２は外部接続用のコネクタであり、その他の部品等は図示を省略している。
【００７５】
このように、外枠９の背面に対し、回路基板支持板２６を垂直に設け、回路基板支持板２６に、回路基板２２を取り付ける。その結果、回路基板２２は、外枠９の開口部１６の背面側に、はみだすことがない。その結果、遊技者は開口部１６の背面側に位置する回転表示体等による表示物（例えば絵柄など）の全体を、回路基板２２により邪魔されることなく、液晶パネル２の前面側から見ることができるようになる。
【００７６】
このような構成による液晶表示装置Ｘの動作は下記のとおりである。遊技者がコインを投入してゲームをスタートさせると、かかる液晶表示装置Ｘを有する遊技機は、液晶パネル２の背面側に、導光板４、固定板７、外枠９の各開口部１３、１４、１６と同じ位置に透光部分を残して開口部を形成し、開口部以外の面上に各種の装飾、ゲーム内容等の表示を行う。
【００７７】
それと同時に、遊技装置は回転表示体を、外枠９の背面側で回転させて、その表示物（例えば絵柄など）を液晶パネル２の開口部１ａから見えるようにする。遊技者は、回転表示体を高速回転させた状態で、開口部１ａ内の高速で移動する表示物（例えば絵柄など）を監視して目押しを行って、所定のゲームを楽しむことができる。
【図面の簡単な説明】
【００７８】
【図１】本発明の実施例における液晶表示部Ｙと回転基板支持部Ｚの構成を示す背面斜視図である。
【図２】図１の液晶表示部Ｙの主要構成部品を示す分解斜視図である。
【図３】図１における、Ａ１−Ａ２側断面図である。
【図４】図１における、Ｂ１−Ｂ２側断面図である。
【図５】図１におけるＣ１−Ｃ２断面図である。
【図６】上記液晶表示装置Ｘに用いられる液晶シャッタ３を前面側から見た斜視図である。
【図７】上記液晶シャッタ３の模式図である。
【図８】図６における、Ｅ１−Ｅ２側断面図である。
【図９】図１におけるＤ１−Ｄ２断面図である。
【図１０】図１における回路基板支持部Ｚのカバーを取り外した状態を示す斜視図である。
【図１１】従来の回動式遊技機の一例を示す外観斜視図である。
【図１２】従来の回動式遊技機における回転表示体、液晶パネル及び液晶シャッタの関係を示す模式的説明図である。
【符号の説明】
【００７９】
１  前面枠
２  液晶パネル
３  液晶シャッタ
４  導光板
４ａ、４ｂ  端面
５  反射シート
６ａ  ランプセット
６ｂ  ランプセット
７  固定板
８  枠体
９  外枠
１０  段部
１１ａ〜１１ｄ  側面
１２ａ〜１２ｄ  側面
１３  開口部
１４  開口部
１６  開口部
１７，１７ａ〜１７ｄ  背部
１８，１８ａ〜１８ｄ  外側部
【図１】
0004501797.tif 000002
【図２】
0004501797.tif 000003
【図３】
0004501797.tif 000004
【図４】
0004501797.tif 000005
【図５】
0004501797.tif 000006
【図６】
0004501797.tif 000007
【図７】
0004501797.tif 000008
【図８】
0004501797.tif 000009
【図９】
0004501797.tif 000010
【図１０】
0004501797.tif 000011
【図１１】
0004501797.tif 000012
【図１２】
0004501797.tif 000013